【事件の表示】
　平成　４年特許願第１７４１９３号「カセッテ」拒絶査定に対する審判事件［平成　６年　１月２８日出願公開、特開平　６−　１９０１８］について、次のとおり審決する。
【結　論】
　本件審判の請求は、成り立たない。
【理　由】
１、手続の経緯・本願発明
　本願は、平成４年７月１日に出願されたものであって、その請求項１に係る発明（以下、「本願発明」という。）は、補正された明細書及び図面の記載からみて、その特許請求の範囲の請求項１に記載された以下のとおりのものである。
　
「蓄積性蛍光体シートを収納し、一端側にこの蓄積性蛍光体シートを出し入れするための開口が設けられた函体と、この函体の前記開口を開閉する蓋体とからなり、前記開口から取り出した前記蓄積性蛍光体シートを励起光で走査して、該シートに蓄積記録されている放射線画像情報を読み取る装置に装填されるカセッテにおいて、前記函体の内部に、ほぼ前記一端側から他端側に向かって延び、函体の開口の近傍位置では蓄積性蛍光体シートの左右幅よりも大きい間隔とされ、この位置よりも函体他端側の位置において蓄積性蛍光体シートの左右端面に各々接する間隔とされて、出し入れされる蓄積性蛍光体シートをその左右幅方向の所定位置に位置規定する１対の位置規定部材が設けられたことを特徴とするカセッテ。」
　
２、引用例
　これに対して、原査定の拒絶の理由に引用した特開昭６２−１２４５４９号公報（以下、「引用例１」という。）には、
「第１図は本発明の一実施態様の概要を示す斜視図であり、第２図はその側面概念図である。本発明の読取装置は、蓄積性蛍光体シート（以下、単にシートと称す）１を収容可能なカセッテ２を着脱自在に保持するカセッテ保持部１０、前記シートに蓄積記録された画像情報を読取る読取部２０、読取り終了後シート１に残存する画像情報の消去を行なう消去部３０を備えており、また装置内にはカセッテ２内から取り出されたシート１を受けとり前記読取部２０および消去部３０に搬送する、搬送ローラ４１、エンドレスベルト４２からなるシート搬送手段４０が設けられている。図示しない外部の撮影装置において、内部に収容したシート１に撮影の行われたカセッテ２は、前記カセッテ保持部１０に、図中矢印で示すように水平方向に装填される。カセッテ２は、第２図に示すように、カセッテ本体２Aと、カセッテ保持部１０への挿入方向先端に設けられた開閉自在の蓋部２Bとからなっており、カセッテ保持部１０内に装填されると蓋部２Bは図中破線で示す閉位置から図中実線で示す開位置へと回動せしめられる。カセッテ保持部１０内にはカセッテ２に対してシート１の出し入れを行なうシート移動手段であるローラ１１が設けられており、カセッテ２の蓋部２Bが開位置に至ると、図中破線で示す第１の位置から図中実線で示す第２の位置に移動し、シ−ト１に接して回転し、シ−ト１をカセッテ２内から搬出する。カセッテ保持部１０内に装填されたカセッテ２に収納されているシートの先端の位置は位置P１となる。前記ローラ１１は上述のようにシート１の先端近傍部分に接して回転することにより、シ−ト１のカセッテ２からの搬出を開始し、シート１を前記搬送ローラ４１に渡す。シート１はこの搬送ローラ４１およびエンドレスベルト４２により読取部２０へと搬入される。」（公報第３頁左下欄第１２行〜第４頁左上欄第７行）。
「消去の終了したシート１はエンドレスベルト４２が逆転することにより矢印A６方向に搬送されて前記搬送ローラ４１に渡される。シート１はさらにこの搬送ローラ４１によりカセッテ２内に送られ、カセッテ２内の前記第２の位置にあるローラ１１はシート１をカセッテ２外に搬出する際とは逆方向に回転し、シート１をカセッテ２内に完全に搬入する。シート１の搬入が終了するとローラ１１は再び前記第１の位置に戻って次のカセッテの装填に備え、カセッテ２の蓋部２Bは閉位置に戻されてカセッテ２はカセッテ保持部１０から引き出される。」（公報第５頁左下欄第１２行〜右下欄第２行）。
　なる記載がなされており、該記載と、図面、特に第２図の記載からして、以下のような発明が記載されている。
　蓄積性蛍光体シートを収容し、一端側にこの蓄積性蛍光体シートを出し入れするための開口が設けられたカセッテ本体と、このカセッテ本体の前記開口を開閉する蓋部とからなり、前記開口から取り出した前記蓄積性蛍光体シートを励起光で走査して、該シートに蓄積記録されている放射線画像情報を読み取る装置に装填されるカセッテ。
　
　また、同じく引用した実願平１−５１２６７号（実開平２−１４１３８８号）のマイクロフイルム（以下、「引用例２」という。）には、
「ケースよりの出し入れが円滑で、且つ不用意な飛び出しや滑り落ちのない持ち運びに便利な、しかも組み立てが容易な磁気ディスク用ケースを提供しようとするものである。」（明細書第３頁第２行〜５行）。
「袋型ケースに板ばねが設けられ、その内側面に押圧部が形成されており、磁気ディスクを収納すれば磁気ディスクの側面を圧接してケース内に保持し、不用意な飛び出しや滑り落ちを防止する。」（明細書第４頁第３行〜７行）。
「さらに切り欠き５に一方が通され曲折して下方へ伸び、外シールド板１と内シールド板２のそれぞれの枠に挟持された取り付け部７と、他の一方が切り欠き５の上部の二重の枠外面から曲折して内面に密着し、途中から内側に彎曲して再び内面に至る押圧部８とからなる板ばね６が袋型ケースに設けられ、」（明細書第５頁第１２行〜１８行）。
「又内側面に設けた板ばねの押圧部８、１８、２８により、内部へ収納した磁気ディスクの側面が圧接固定され、磁気ディスクがケースから飛び出したり滑り落ちたりすることはない。板ばね６、１６、２６は、取り付け部７、１７、２７が内外シールド板１、１１，２１、２、１２，２２の枠に挟持固着されケースの内外に露出せず、押圧部８、１８、２８の上部ケース内側面への密着と相挨って、ケースへの磁気ディスクの出し入れは円滑で損傷を与えず安全である。」（明細書第７頁第５行〜１４行）。
「ケースの一側面に板ばねを設けた場合のみ説明したが、両側面に対向せしめて板ばねを設けても何等差し支えない。」（明細書第７頁第１８行〜２０行）。
　なる記載がなされ、該記載と図面の記載から、板ばねのケースの開口部近傍側はディスクの出し入れ時にディスクの側面を押圧するものでなくディスクの幅より広い幅部分であると解することができ、また、板ばねはケースの両側面に対向して設けることも記載されるところであり、ディスクの出し入れ時に該ディスクの位置を規定する作用は明らかであるから、結局、以下のような発明が記載されている。
　磁気ディスクを収納し、一端側に該ディスクを出し入れするための開口部が設けられた磁気ディスク用ケースにおいて、その開口部におけるディスク出し入れ時の位置規定の部材として、ケースの内部に、ほぼ前記一端側から他端側に向かって延び、ケースの開口部の近傍位置ではディスクの左右幅よりも大きい間隔とされ、この位置よりもケース他端側の位置においてディスクの左右側面に各々圧接する間隔とされて、出し入れされるディスクをその左右幅方向の所定位置に位置規定する一対の板ばねを設けた構成。
　
３、本願発明と引用例１に記載された発明との対比
　本願発明と引用例１に記載された発明とを対比すると、引用例１に記載された発明の「収容」、「カセッテ本体」、「蓋部」はそれぞれ、本願発明の「収納」、「函体」、「蓋体」に相当するから、両者は、
　蓄積性蛍光体シートを収納し、一端側にこの蓄積性蛍光体シートを出し入れするための開口が設けられた函体と、この函体の前記開口を開閉する蓋体とからなり、前記開口から取り出した前記蓄積性蛍光体シートを励起光で走査して、該シートに蓄積記録されている放射線画像情報を読み取る装置に装填されるカセッテ。
　で一致し、以下の点において相違している。
（イ）本願発明のカセッテには、函体の内部に、ほぼ一端側から他端側に向かって延び、筺体の開口近傍位置では蓄積性蛍光体シートの左右幅よりも大きい間隔とされ、この位置よりも函体他端側の位置において蓄積性蛍光体シートの左右端面に各々接する間隔とされて、出し入れされる蓄積性蛍光体シートをその左右幅方向の所定位置に位置規定する一対の位置規定部材が設けられているのに対し、引用例１に記載された発明のカセッテには、このような位置規定部材が設けられているのか格別の記載がなく明らかではない点。
　
４、当審の判断
　上記相違点（イ）について検討する。
　ところで、上記引用例２に記載された発明には、上述のように、磁気ディスク用ケースのディスクの出し入れ時における位置規定の部材として、該ケースの内部に、ほぼ一端側（開口部側）から他端側に向かって延び、ケースの開口部の近傍位置では磁気ディスクの左右幅よりも大きい間隔となるようになされ、この位置よりもケースの他端側の位置においては該ディスクの左右の側面にその押圧部が各々圧接する間隔とされて、出し入れされるディスクをその左右幅方向の所定位置に位置規定する一対の板ばね（一対の位置規定部材）を設けた構成、が記載されている。そして、この磁気ディスクの出し入れ時の位置規定の部材である一対の板ばねは、ディスクのケースからの出し入れの円滑性を考慮したものであり、しかも、該一対の板ばねはその構成からディスクの出し入れ時にその左右の幅方向を一定に保つという位置規定の作用を奏し、機械（読取装置等）による自動的なディスクの出し入れへの適用においても同様の位置規定の作用は明らかであるから、装填物（磁気デイスク、蓄積性蛍光体シート等）の出し入れ時にその左右の幅方向を一定に保つという位置規定の機能において本願発明の蓄積性蛍光体シートの位置規定部材と格別差異のないものである。
　そして、引用例２に記載された発明の前記磁気ディスクの出し入れ時の位置規定の部材である一対の板ばねを引用例１に記載された発明のカセッテにおける蓄積性蛍光体シートの出し入れ時の位置規定の部材として採用することは、本願発明のカセッテの課題である読取装置によるシートの出し入れ時の位置規定の問題が、引用例１に記載された発明のカセッテにおいて容易に認識される事項であり、しかも、該採用による本願発明で述べている上記シートの出し入れ時における位置規定の作用効果が容易に予測できる点を考慮すると格別困難なことではなく、該採用により該カセッテを本願発明のようなカセッテとして構成することは当業者が容易になし得たことである。
　
　そして、本願発明の効果は、上記引用例１及び２に記載された発明から予測される範囲のものである。
　
５、むすび
　以上のとおりであるから、本願発明は上記引用例１及び２に記載された発明に基づいて当業者が容易に発明をすることができたものであり、特許法第２９条第２項の規定により特許を受けることができない。
　よって、結論のとおり審決する。